(57)【要約】ボトル用セキュリティ装置のシステムと装置が開示されている。
2008523508.tif 000002
【特許請求の範囲】
【請求項１】
磁気的可動ロック機構、
ベルト、および
筐体を有し、
磁気的可動ロック機構とベルトは筐体に固定されるように設けられるボトル用セキュリティ装置。
【請求項２】
請求項１のセキュリティ装置において、前記磁気的可動ロック機構は、磁気的可動ラッチ、弾性要素、ラッチ結合要素を有する装置。
【請求項３】
請求項２のセキュリティ装置において、弾性要素および磁気的可動ラッチは一つの部品として結合しているように設けられた装置。
【請求項４】
請求項２のセキュリティ装置において、筐体は、さらに、通路を有し、磁気的可動ラッチと弾性要素は少なくともその一部分がチャネル内に配置されるように設けられた装置。
【請求項５】
請求項２のセキュリティ装置において、前記ベルトはラッチ結合要素を有する装置。
【請求項６】
請求項２のセキュリティ装置において、前記ラッチ結合要素は少なくとも一つの切り欠きを有する装置。
【請求項７】
請求項６のセキュリティ装置において、弾性要素は磁気的可動ラッチに近接した位置にあり、磁気的可動ラッチをロック位置に押しつけ、磁気的可動ラッチの少なくとも一部分は前記切り欠きの中に入り込むように偏力を加えられた装置。
【請求項８】
請求項２のセキュリティ装置において、ラッチ結合要素は少なくとも一つの突起を有する装置。
【請求項９】
請求項８のセキュリティ装置において、磁気的可動ラッチがロック位置にあるとき、少なくとも一つの突起は磁気的可動ラッチと係合しているように設けられた装置。
【請求項１０】
請求項２のセキュリティ装置において、磁気的可動ラッチには少なくとも一つのラッチ結合要素と契合する突起部を有する装置。
【請求項１１】
請求項１０のセキュリティ装置において、ラッチ結合要素は少なくとも一つの切り欠きを有し、少なくとも一つの突起部が、少なくとも一つの切り欠きと契合することによって、少なくとも一つの突起部がラッチ結合要素と契合するように設けられた装置。
【請求項１２】
請求項２のセキュリティ装置において、磁気的可動ラッチは、弾性要素とラッチ結合要素の間に位置するように設けられた装置。
【請求項１３】
請求項１のセキュリティ装置において、さらにセキュリティ・タグを有する装置。
【請求項１４】
請求項１３のセキュリティ装置において、セキュリティ・タグは筐体に覆われるように設けられた装置。
【請求項１５】
再使用することができるように設けられた請求項１３のセキュリティ装置。
【請求項１６】
一回限り使用することができるように設けられた請求項１３のセキュリティ装置。
【請求項１７】
再設定することができるように設けられた請求項１３のセキュリティ装置。
【請求項１８】
請求項２のセキュリティ装置において、ラッチ結合要素は弾性変形陥没することができる素材であるように設けられた装置。
【請求項１９】
請求項７のセキュリティ装置において、磁気的可動ラッチがロック位置にあるとき、ベルトが一方向に移動する方が逆方向に移動するよりも大きい抵抗が生じるように設けられた装置。
【請求項２０】
請求項１のセキュリティ装置において、さらに、ボトルの口を被覆し、筐体に固定されるボトル・ハットを有する装置。
【請求項２１】
請求項２０のセキュリティ装置において、ボトル・ハットは筐体と一体化するように設けられた装置。
【請求項２２】
請求項２０のセキュリティ装置において、ボトル・ハットと筐体は別体の要素であるように設けられた装置。
【請求項２３】
請求項２のセキュリティ装置のロック機構において、磁気的可動ラッチは、磁力によって、ロック位置からはずれる方向に移動するように設けられたロック機構。
【請求項２４】
請求項２３のロック機構において、磁気的可動ラッチは、実質的に直線状に移動することができるように設けられたロック機構。
【請求項２５】
請求項２３のロック機構において、磁気的可動ラッチは、実質的に円周方向に移動することができるように設けられたロック機構。
【請求項２６】
請求項２３のロック機構において、磁気的可動ラッチの移動は、直線方向と円周方向の組み合わせであるように設けられたロック機構。
【請求項２７】
磁気的可動ロック機構、
セキュリティ・タグ、
ベルト、および
筐体を有し、
磁気的可動ロック機構、セキュリティ・タグ、ベルトは筐体に固定されるように設けられたボトル用セキュリティ装置。
【請求項２８】
請求項２７のセキュリティ装置において、筐体はベルト通路壁を有し、ボトルのネックのまわりをベルト通路壁が締め付けることによって、ボトルが筐体に固定されるように設けられた装置。
【請求項２９】
請求項２８のセキュリティ装置において、ベルト通路壁は二つの端部を有し、端部が相互の方向に押しつけられることによってベルト通路が締め付けられるように設けられた装置。
【請求項３０】
請求項２９のセキュリティ装置において、二つの端部にはそこから延びる取っ手を有し、二つの取っ手が相互の方向に押しつけられることによってベルト通路が締め付けられるように設けられた装置。
【請求項３１】
請求項２７のセキュリティ装置において、二つの取っ手が相互の方向に押しつけられるときに、ベルトの少なくとも一部分がベルト通路内に入っていくように設けられた装置。
【請求項３２】
請求項２７のセキュリティ装置において、筐体はセキュリティ・タグ室を含み、セキュリティ・タグ室はセキュリティ・タグを内包するように設けられた装置。
【請求項３３】
請求項２７のセキュリティ装置において、筐体はロック機構収納フレームを含み、ロック機構収納フレームはロック機構を内包するように設けられた装置。
【請求項３４】
請求項２７のセキュリティ装置であって、さらに、ボトルの口を受け、筐体に固定するボトル・ハットを有する装置。
【請求項３５】
請求項３４のセキュリティ装置において、ボトル・ハットは筐体と一体化しているように設けられた装置。
【請求項３６】
請求項３４のセキュリティ装置において、ボトル・ハットと筐体は個別の要素であるように設けられた装置。
【請求項３７】
ボトル用セキュリティ・システムであって、
筐体、筐体に固定されたベルト、筐体内に配置された磁気的可動ロック機構からなるセキュリティ装置、および
セキュリティ装置を解錠する分離器を有し、
該分離器は磁石からなるように設けられるセキュリティ・システム。
【請求項３８】
セキュリティ・タグ
磁気的可動ロック機構、および
セキュリティ・タグと磁気的可動ロック機構を固定する筐体を有する
口つきボトル用セキュリティ装置。
【発明の詳細な説明】
【技術分野】
【０００１】
この出願によって、２００４年１２月７日出願の米国特許出願60/633,81号「改良されたEASセキュリティ・タグ」、及び、２００５年５月２３日出願の米国特許出願第60/683,657号「改良されたEASセキュリティ・タグ」の全体を引用してこの出願と一体とし、これを基礎として優先権を主張する。
【０００２】
関連する出願
アメリカ合衆国を指定してされたこの国際特許出願は、以下に示すアメリカ合衆国を指定してなされた特許出願と関連する。
【０００３】
（１）磁気的可動ロック機構とこれに関連するセキュリティ装置
（２）磁気的可動ロック機構を有する光ディスク・セキュリティ装置
（３）拘束された細長い要素を有する商品用のセキュリティ装置
（４）ケーブルを有するセキュリティ装置
これらの関連する特許出願は同時に出願されたものであり、それ全体が引用されることによって一体とされる。
【背景技術】
【０００４】
セキュリティ・タグ・システムは、管理された区画から物品が許可なく持ち出されることを防止するために設けられる。例えば、典型的な電子式物品監視(EAS)システムは、監視システムと、単独又は複数からなるセキュリティ・タグから構成される。監視システムでは、管理区画に至る通路に監視領域が設けられる。セキュリティ・タグは、監視対象物である、スポーツ用品、眼鏡、宝石、ボトル、その他同様のものの固形の品物に固定されたセキュリティ装置に内包される。もし、監視対象の物品が監視領域に入れば、許可なく持ち出されたことを示す警報装置が起動される。
【０００５】
セキュリティ装置は様々な種類の物品に固定されうる。セキュリティ装置は、権限があれば商品からはずすことができる一方で、権限無くはずすことは比較的困難であることが望ましい。このような事情から、一般的に、セキュリティ装置の技術の改良、及び、個々の商品にセキュリティ装置を固定する技術の改良に対する要望があるといえる。
【発明の開示】
【０００６】
発明の詳細な説明
実施態様としては、例えばボトルの様な商品と、セキュリティ・タグを対にするための器具、システム、方法などが考えられる。
【０００７】
例えば、ある実施態様は、ロック機構、セキュリティ・タグ、筐体から構成されるセキュリティ装置を含む。ロック機構は、磁気的可動ラッチ、および磁気可動ラッチをロック位置に押しつける弾性要素、ロック位置にある磁気的可動ラッチの少なくとも一部分と噛み合うラッチ結合要素によって構成される。ここで使われる「ロック位置」とは、磁気的可動ラッチが部分的にあるいは全体として、ラッチ結合要素の切り欠きに入り、あるいは、ラッチ結合要素と密着し、一体となり、その他の態様で、結合する位置をいう。筐体は、ロック機構、セキュリティ・タグ、ラッチ結合要素、及び商品を、部分的あるいは全体として収容し、内包し、その他の態様で筐体に固定するように構成された構造物である。固定されれば、磁気的可動ラッチはラッチ結合要素とロック位置で噛み合うことによって筐体をロックし、その結果として、筐体に固定されているセキュリティ装置が商品にロックされる。筐体がロックされた場合、筐体を商品から分離しようとしても、セキュリティ装置はそれを防止し、あるいは、抵抗することになる。他の実施態様は、セキュリティ装置と磁石を内包する分離器から構成されるセキュリティ・システムを含む。分離器は、磁気的可動ラッチに磁力を及ぼしてロック位置から移動させ、筐体を解錠するために使用される。
【０００８】
明細書において、「ある実施態様」と述べる場合、その実施態様に関連して記述された、個別の特性、構造、特徴は、少なくとも一つの実施態様に含まれていることを意味する。明細書の複数箇所に記載される「ある実施態様において」との表現は、必ずしも全て同一の実施態様について言及するものではない。
【０００９】
多くの具体的な詳細は、実施態様の完全な理解のために記述される。しかしながら、当業者であれば当然、これらの具体的な詳細がなくても実施態様を実施することができると考えられる。他の事例では、周知の方法、手順、部品は詳細には記述されていないが、これは、実施態様を曖昧にすることを避けるためである。ここに記述した個々の構造的あるいは機能的詳細は、実施態様の典型例であって、実施態様の範囲を限定するものではない。
【００１０】
ここで図面を参照しながら説明するが、図面中に示される装置の各部分はそれぞれ同一の支持番号で示される。図１にはある実施態様におけるセキュリティ・システム１およびセキュリティ装置２が示される。この実施態様では、セキュリティ・システム１はセキュリティ装置２と分離器４０を含む。セキュリティ装置２は、ロック機構１０、セキュリティ・タグ２０、筐体３０を含む。
【００１１】
ロック機構１０は磁気的可動ロック機構であり、磁気的可動ラッチ１２、弾性要素１６、ラッチ結合要素１８を含む。
【００１２】
磁気的可動ラッチ１２は、基盤部端１３Ａと側面１３Ｂ、１３Ｃとからなる基盤部１３、およびラッチ部端１４Ａを含むラッチ部１４、中央部１５を含む。
【００１３】
磁気的可動ラッチ１２は実質的には長方形の面を有しており、基盤部１３の幅はラッチ部１４と中央部１５のそれぞれの幅と同じである。従って、基盤部１３の幅、ないし側面１３Ｂと１３Ｃの距離は、ラッチ部１４と中央部１５の対応する幅と同じである。他の実施態様では、基盤部１３、ラッチ部１４、中央部１５の幅は異なりうる。磁気的可動ラッチ１２は細長い一定の形の断面をしている。
【００１４】
しかしながら、磁気的可動ラッチ１２の構成は自由であり、一つ又は複数の部品から構成することもできるし、いかなる点、線、面に対して、対称にも、非対称にもすることができる。例えば、様々な実施態様において、磁気的可動ラッチ１２は「Ｉ」型、「Ｔ」型、曲線、その他の形の外観をとることができ、長方形、もしくは、円形、肉厚、中空、その他の形態の腔、一定でない形の断面をとることもできるし、さらにここで他の磁気的可動ラッチ１５１２の実施態様に関連して述べるようにすることもできる。その他の実施形態では、磁気的可動ラッチ１２のラッチ部端１４Ａには、ここで記述する磁気的可動ラッチ１５１２の実施態様にしたがって、一つ又は複数の歯、リブ、切り込み、ギザギザ、尖端部、曲面、空洞、その他の形状をとることができ、同時に基盤部端１３Ａも平面にすることもできるし他の形態をとることもできる。加えて、基盤部端１３Ａを連続的なものにも非連続的なものにもすることができる。磁気的可動ラッチ１５１２は、ここで述べるように、ラッチ部１４のような少なくとも磁気的可動ラッチの一部分が、ラッチ結合要素１８に当接し、収納され、差し込まれ、またはその他の態様で結合するように構成される。
【００１５】
ある実施態様では、セキュリティ装置２には複数の磁気的可動ラッチ１２があって、セキュリティ装置２の同一あるいは異なった部位に、それぞれ他の弾性要素１６とラッチ結合要素１８と一緒に配置される。例えば、ある実施態様では、複数の磁気的可動ラッチ１２がセキュリティ装置２の他の部分と共同して、商品を固定する部分、セキュリティ・タグ２０を固定する部分をロックすることができる。
【００１６】
磁気的可動ラッチ１２は、鉄、ニッケル、コバルト、または、鉄、ニッケル、コバルトの合金等によって構成され、あるいは形成される。ある実施態様では、磁気的可動ラッチ１２は一つ又は複数の磁性素材を含みうるし、一つ又は複数の非磁性の素材を含みうる。
【００１７】
弾性要素１６は、直方体、楕円形、巻線状、その他、弾性要素１５１６の実施態様に関連してここで述べるようなその他の形状を自由にとることができ、一つ又は複数の部品から構成してもよく、磁気的可動ラッチ１２と接合し、あるいは、一体的に成形してもよい。ある実施態様では、弾性要素１６は、例えば、リーフ・スプリングの様な片持ちアームの形式であってもよい。弾性要素１６は、圧縮に対し抵抗する力を生じ、圧縮する力が取り除かれれば、圧縮されていない状態の形態に部分的あるいは完全に回復する様な、軽く、多孔性の、半剛性の、弾力性がある、ガス状の、又は海綿状の素材によって構成され、あるいは形成されてもよい。例えば、多くの実施形態では、弾性要素１６は気泡ゴム、もしくは、多孔性ポリマー、多孔性セラミック、その他の泡状の物質、ゴム、その他の素材によって構成され、または、形成される。弾性要素１６は圧縮されたときに、抵抗する力を提供するようも構成される。例えば、多くの実施例では、弾性要素１６は、金属、高分子化合物、セラミック、その他の素材からなる巻線、バネ板またはそれ以外の片持ちアームの形式の腕、その他のスプリング、その他の類似の部材によって構成される。弾性要素１６はいかなる質量のものであってもよい。
【００１８】
ラッチ結合要素１８の構成は自由であって、例えば、一つ又は複数の穴や、切り欠き、リブ、歯、突起部、その他の形のものがあってもよい。ラッチ結合要素１８は、ここに記述されているように、一つ又は複数の部品を含み、筐体３０と別体であっても、一体化されていてもよい。ラッチ結合要素１８は、磁気的可動ラッチ１２の少なくとも一部分と当接、収納、挿入、その他の態様で結合するよう構成される。例えば、磁気的可動ラッチ１２が長方形の面を持つ細長い部材であるような実施態様では、ラッチ結合要素１８は切り欠きを含むように構成され、磁気的可動ラッチ１２のラッチ部１４またはその一部が、ここで記述されているように、ロック位置に挿入される。磁気的可動ラッチ１２のラッチ部材端１４Ａに歯があるような実施態様では、ラッチ結合要素１８はリブ状をしており、ロック位置において歯と噛み合うように構成することができる。
【００１９】
セキュリティ・タグ２０は、他のセキュリティ用のタグやラベルと同様に、取り外しができる装置またはシステムである。例えば、多くの実施態様では、セキュリティ・タグ２０は、あらゆる形式のＥＡＳタグ（例えば、無線周波数(RF)タグ、もしくは、音響磁気タグ、またはそれらの組み合わせ）、無線周波数識別(RFID)タグ、スマート・タグ、またはその他の窃盗防止用のタグ、その他のタグである。セキュリティ・タグ２０は、音響磁気検知器、電磁的検知器、無線周波数検知器、その他の検知器など、セキュリティ用タグまたはラベルの形式に対応した検知システムまたは検知装置によって検知されうる。
【００２０】
図１の実施態様に一部が示されている筐体３０は、ロック機構１０およびセキュリティ・タグ２０、ロック機構１０がロック位置にあり結果として筐体がロックされているときは商品を、含み、覆い、包含し、添付し、連結し、その他の方法で固定する被覆またはその他の構造物である。このようにして、筐体３０とロック機構１０は共同して商品を筐体３０に固定しあるいはロックし、同時にセキュリティ装置２も固定しあるいはロックすることになる。筐体３０の構成は自由であって、ロック機構１０、及び、セキュリティ・タグ２０、これを固定する商品の形に基づいて、例えば、ここで記述されている筐体１５３０及び１７３０の実施態様に関連して記述されるような形状をとることもできる。筐体３０はラッチ結合要素１８を含有するように構成してもよく、該ラッチ結合要素１８は筐体３０と一体となっていてもよい。あるいは、筐体３０はラッチ結合要素１８と対になっていてもよい。筐体３０は高分子化合物や、他の素材であってもよい。
【００２１】
セキュリティ装置２に含まれている部品は、以下にセキュリティ装置の実施態様に関連して述べるように、セキュリティ装置２が商品にロックできるように構成される。セキュリティ・タグ２は再使用ができてもよいし、一回限り使用できるものであってもよい。
【００２２】
図１Ａ−１Ｄは、ある実施態様における図１に示した分離器４０の、斜視図、平面図、正面図、側面図である。分離器４０は磁石４２を含み、内蔵する装置である。磁石４２は、たとえば永久磁石や電磁石などの、どのような種類の磁石であってもよい。セキュリティ・システム１についてみると、分離器４０はセキュリティ装置２とともに用いられて、セキュリティ装置２を商品から解錠するために使用される。分離器４０は、セキュリティ装置２の磁気的可動ラッチ１２から適当な距離に置かれ、磁気的可動ラッチ１２をロック位置から離す方向に磁力を及ぼす。このようにして、セキュリティ装置２の筐体３０は、筐体３０が固定されていた商品から取り外すことができる。
【００２３】
多くの実施態様では、分離器４０はさまざまな磁石４２を含みうる。たとえば、分離器４０の磁石４２は、磁気的可動ラッチ１２をロック位置から移動させるために必要な磁力に基づいて選択することができ、その結果として、セキュリティ装置２を解錠することができるのである。この磁力は、移動に抵抗する力を相殺した力を上回る力が必要である。このような抵抗する力は、例えば、弾性要素１６が磁気的可動ラッチ１２によって圧縮されて生じた抵抗力、磁気的可動ラッチ１２の移動にともなって筐体３０その他の要素と接触することによって発生する摩擦力、その他の力を含む。またある実施態様では、分離器４０は異なった構成をもつセキュリティ装置に使われ、磁石４２が解錠用の磁石としてはもっとも強いものが要求される場合、それに十分な磁石が選択される。
【００２４】
ある実施態様では、セキュリティ装置２は一回限りの使用のために構成される。例えば、図１Ｅ−１Ｆに示される実施態様では、セキュリティ装置２の磁気的可動ラッチ１２は、通路３の内側に位置し、ロック位置でラッチ結合要素１８と当接する。一つまたは複数のリーフ・スプリング、または、片持ちアーム４及び５のようなその他の片持ちアームは、バネ仕掛けを用いた構成で通路３に配置される。
【００２５】
例えば、図１Ｅは、片持ちアーム４の負荷のかかっていない位置を示している。片持ちアームは、側面４Ａを通路壁３Ａに近接するように曲げることができ、このようにして、バネ仕掛けの負荷をかけることができる。磁気的可動ラッチ１２は、他の面４Ｂに近接するようにして、通路３内のロック位置に配置され、このことによって片持ちアーム４が移動することを防ぎ、バネによる負荷を維持することができる。片持ちアーム５も同様な位置をとる。磁気的可動ラッチ１２が分離器４０によってロック位置からはずされれば、片持ちアーム４、５は磁気的可動ラッチ１２による拘束から解放され、負荷のかかっていない位置にはね戻り、又はその他の態様で復帰する。それらの位置で、片持ちアーム４、５が通路３に伸びて、磁気的可動ラッチ１２の基盤部１３がそれらを越えて移動することを阻止し、磁気的可動ラッチ１２はロック位置に復帰することができない。その結果、セキュリティ装置を、ロックすることはできなくなる。
【００２６】
他の実施態様では、片持ちアーム４と５のうち、一方だけを含むことができる。他の多くの実施態様では、他の弾性のある要素、例えば巻線や、その他のスプリング、ゴム、発泡体が通路３または筐体の部分に使用され、セキュリティ装置が再使用されることを防止する。
【００２７】
図１Ｇ−１Ｊに示されるような実施態様では、ロック機構１０と筐体３０は、磁気的可動ラッチがロック位置から移動してはずれる毎に、磁気的可動ラッチ１２はロック位置に再設定する必要がある。例えば、磁気的可動ラッチ１２は、通路６内でその基盤端１３Ａを凹部７に近接させて、配置される。凹部７は、磁気的可動ラッチ１２にバイアスが加えられロック位置の外に位置している場合に、少なくとも磁気可動ラッチ１２の一部が凹部７に挿入されるか、あるいはその他の方法でそこに係合するように加圧されている。凹部の輪郭は壁８で構成され、壁８は磁気的可動ラッチ１２がロック位置に戻ろうとする動きを制限している。この実施態様では、例えば磁石を使用することによって磁気的可動ラッチ１２を凹部から移動させ、磁気的可動ラッチ１２が配置されているセキュリティ装置を使用可能になるように再設定することができる。
【００２８】
他の実施態様においては、例えば図２−１４の実施態様に関連して記述されているボトル用セキュリティ装置１５０２は、別々の部品であるボトル・ハット１５７０、ベルト・アセンブリ１５５０を含む。
【００２９】
図２−５は、ある実施態様におけるボトル・ハット１５７０の斜視図であり、図示する要素が説明されている場所で当該図面に言及する。ボトル・ハット１５７０は、例えば、ワイン、リカー、ビール、香水、化粧品、その他のボトル、またはその端に口もしくは開口部を有する首のような形状の構造をもつ容器などのボトルの、少なくとも一部に形状と大きさが一致する。ボトル・ハット１５７０にはカップ１５７２が含まれる。カップ１５７２は、側壁１５７４と基盤（頂壁）１５７６を有し、この両者によってカップ開口部１５７８が決定される。ある実施態様では、側壁１５７４は円筒形であり、頂壁１５７６は側壁１５７４の横断面と一致する位置に設けられ、カップ開口部１５７８の輪郭は実質的に円筒形となる。
【００３０】
しかしながら、実施態様によっては、側壁１５７４と基盤１５７６は様々な形や大きさでもよく、カップ１５７２は、少なくとも、ボトルの口とこれに近接したキャップ、コルク、その他のボトルの口を覆うもの、または、ボトルの口に似た形状の要素とこれに近接した覆いを収容できる大きさに構成される。例えば、ある実施態様では、カップ１７２は、ドームのような形状をしていて、基盤１５７６を含んでいない。さらにすすんで、カップ１５７２は、ボトルの首の一部または全部を含むように構成されて、それを通して中の液体を放出できるようにすることもできる。
【００３１】
ボトル・ハット１５７０は、ベルト・アセンブリ１５８０を受けるように構成された受け構造体１５８０も含む。受け構造体１５８０は、カップ１５７２の基盤１５７６とは反対側の端縁１５７３から伸びている。ある実施態様では、この受け構造体１５８０は一つまたは複数の脚を持つ。ある実施態様では、この受け構造体１５８０には端縁１５７３から延びている３本の脚１５８１−１５８３があり、少なくともボトルの首の一部を覆うような大きさと形状をしている。脚１５８１−１５８３はそれぞれ同様の構造をもち、カップ１５７２から同様に延びているのであるから、ここでは脚１５８１についてのみ記述する。しかしながら、様々な実施態様では、一つまたは複数の脚１５８１−１５８３は異なった形状をとり得るし、欠けてもよい。その他の実施態様では、連続した構造体またはその他の構造体でベルト・アセンブリ１５５０を受けることによって、一つまたは複数の脚１５８１−１５８３に代えることもできる。
【００３２】
脚１５８１は側壁を延長した部分であって、断面弧形とすることもできる。側壁１５７４が円筒形であるような実施態様では、脚１５８１は側壁１５７４の中心軸を中心として弧を描き、中心軸に対する側壁１５７４の半径と同じか実質的に同じ半径を持つことになる。
【００３３】
ある実施態様においては、脚１５８１はベルト受け通路壁１５８６Ａと１５８６Ｂを持つ受け通路１５８６を含み、側壁１５７４の中心軸を中心として環状になっている。
【００３４】
ベルト受け通路１５８６は、内に溝１５９０を含み、以下に述べるように、ベルト・アセンブリ１５５０の少なくとも一部分が溝１５９０の中に延びるように設けられている。ある実施態様では、溝１５９０はベルト受け通路１５８６に沿ってのびており、ベルト受け通路壁１５８６Ａと１５８６Ｂから等位置に配置される。ある実施態様では、溝の断面はＶ字型をしている。他の様々な実施態様では、溝１５９０の断面と位置は異なっていてもよく、以下に述べるように、断面と位置はベルト・アセンブリ１５５０の少なくとも一部分を受けるようになっていればよい。
【００３５】
ボトル・ハット１５７０はプラスティック、その他の素材、これらの素材の組み合わせによって作られる。ある実施態様では、ボトル・ハット１５７０は堅いプラスティックから作られる。また、他の実施態様では、ボトル・ハットは、ボトル・ネックの形状に合わせて、または、ボトル・ネックのまわりに合うように変形するような弾力性のある素材、例えば、ゴム、その他の素材から作られる。
【００３６】
図６−９は、ある実施態様における、ボトル・ハット１５７０の、平面図、正面図、側面図、底面図である。側壁１５７４とボトル・ハット１５７０が円筒形であるような実施態様では、図に示したように、脚１５８１−１５８３がもしあるとすれば、その内径は側壁１５７４の内径と同じである。
【００３７】
図１０−１４は、ある実施態様における、ベルト・アセンブリ１５５０、またはその一部分の斜視図である。ベルト・アセンブリ１５５０は、ロック機構１５１０、セキュリティ・タグ２０、筐体１５３０、セキュリティ・ベルト１５６０を含む。
【００３８】
ロック機構１５１０は、以下に示すように、磁気的可動ラッチ１５１２、弾性要素１５１６、ラッチ結合要素１５１８を含む。
【００３９】
はじめに図１２と図１４について触れる。図１２は、ある実施態様における、ベルト・アセンブリ１５５０の斜視図であって、ロック機構１５１０の磁気的可動ラッチ１５１２と弾性要素１５１６がロック機構収納フレーム１５３１内に配置されている様子を示している。図１４は、ある実施態様における、磁気的可動ラッチ１５１２と弾性要素１５１６を含む筐体の一部分の斜視図である。
【００４０】
図１２及び図１４において、磁気的可動ラッチ１５１２は磁性体、または、図１の磁気的可動ラッチ１２に関連して記述された一つまたは複数の素材から作られる。磁気的可動ラッチ１５１２は、基盤部端１５１３Ａおよび基盤部側面１５１３Ｂ、１５１３Ｃを含む基盤部１５１３、および、ラッチ部端１５１４Ａを含むラッチ部１５１４、中央部１５１５からなる。
【００４１】
磁気的可動ラッチ１５１２は少なくとも部分的には「Ｉ」字型または「Ｔ」字型またはその他の形状をしている。このようにして、基盤部側壁１５１３Ｂ及び１５１３Ｃは平行であって、少なくとも実質的に直線である。基盤部１５１３の幅、すなわち基盤部側壁１５１３Ｂと１５１３Ｃの間の距離は、中央部１５１５の対応する幅より広いが、ラッチ部１５１４の対応する幅にほぼ等しい。基盤部端１５１３Ａは平面であって、実質的には、基盤部側面１５１３Ｂ、１５１３Ｃに対して垂直である。磁気的可動ラッチ１５１２の厚さは薄い。
【００４２】
磁気的可動ラッチ１５１２には一つまたは複数の突起部１５５１がある。一つまたは複数の突起部１５５１の少なくとも一部分は磁気的可動ラッチ１５１２のラッチ部１５１４内に位置し、その端はラッチ部端１５１４Ａに接する。
【００４３】
ある実施態様では、一つまたは複数の突出部１５５１は、一つまたは複数の歯を持つ。例えば、ある実施態様では、突出部１５５１には五本の歯１５５２−１５５６がある。一つまたは複数の歯は、図１９の実施例でも見ることができる。この実施例では、歯１５５２−１５５６は同じ構造をもち、磁気的可動ラッチ１５１２内に同じように配置される。それゆえ、以下、歯１５５２についてのみ、詳細に述べる。しかしながら、実施態様によっては、一つまたは複数の歯１５５２は異なった構造をとることもできるし、存在しなくても構わない。
【００４４】
歯１５５２には、側面１５５２Ａと側面１５５２Ｂがあり、これらは相互に向かって傾斜していて、歯端１５５２Ｃで収斂し、あるいは、歯端１５５２Ｃ付近で終了する。このため、歯端１５５２Ｃはとがっている。
【００４５】
側面１５５２Ａは歯１５５３−１５５６の対応する側面とは少なくとも実質的に平行であり、側面１５５２Ｂと１５５３−１５５６の対応する側面についても同様である。側壁１５５２Ａは、基盤部１５１３の基盤部側壁１５１３Ｂ−１５１３Ｃ、もしくは、磁気的可動ラッチ１５１２のラッチ部１５１４と中央部１５１５の対応する側面の一方または双方に対して角度がつけられる。側面１５５２Ｂは、基盤部１５１３の基盤部側壁１５１３Ｂ−１５１３Ｃ、およびラッチ部１５１４と中央部１５１５の対応する側壁に対して、実質的に垂直であるか、または、(側面１５５２Ａに比べて)角度が小さい。歯１５５２―１５５６は等間隔に配置されていてもよいし、不均一な間隔で配置されていてもよい。ある実施態様では、歯の側面１５５２Ａと１５５２Ｂの角度は、歯によって異なってもよく、いかなる角度の組み合わせを使うこともできる。
【００４６】
しかしながら、一つまたは複数の突起部１５５１は他の構成となることもできる。例えば、一つまたは複数の突起部１５５１は、一つまたは複数のリブ、ノッチ、ギザギザ、点、曲線、切り欠きから構成されてもよい。一つまたは複数の突起部１５５１は、少なくとも一部分がラッチのラッチ部１５１４に置かれてもよいし、ラッチ部端１５１４Ａから構成されてもよい。一つまたは複数の突起部１５５１は、以下に述べるように、ロック位置でラッチ結合要素１５１８と噛み合うように設定される。
【００４７】
多くの実施態様では、図１に示した磁気的可動ラッチ１５１２に関連してここで述べたように、磁気的可動ラッチ１５１２は他の構成をとることもできる。
【００４８】
弾性要素１５１６は、柔軟な素材から構成され、あるいは形成され、図１に示した弾性要素１６に関連して記述された素材を用いることができる。ある実施態様では、弾性要素１５１６は、側壁１５１６Ａの幅が１５１６Ｂの幅よりも広いような、実質的には直方体の形状にすることもできるし、他の形状にすることもできる。他の様々な実施態様では、弾性要素１５１６は、図１の磁気的可動ラッチ１２に関連して述べた巻線、スプリングなどの、一つまたは複数の素材を用いて作られ、あるいは構成されてもよい。
【００４９】
ラッチ結合要素１５１８はセキュリティ・ベルト１５６０に内包され、筐体１５３０と分離できるようになっていても、一体化していても構わない。ここで述べるように、ある実施態様においては、ラッチ結合要素１５１８はセキュリティ・ベルト１５６０に沿って延びることもできる。ある実施態様においては、ラッチ結合要素１５１８は一つまたは複数の切り欠き１５９０を含むことができる。ある実施態様においては、一つまたは複数の歯またはその他の突起部１５５１が一つまたは複数の切り欠き１５９０の中に延びているときに、磁気的可動ラッチ１５１２はロック位置でラッチ結合要素１５１８と噛み合う。
【００５０】
一つまたは複数の切り欠き１５９０は、突起部１５５１に関連してここで述べられる突起部である一つまたは複数の突起１５９２によって、輪郭が形成される。突起部１５９２は図１５および図１７−１９の実施態様においてもみられる。ある実施態様においては、一つまたは複数の突起部１５９２は、平行ではない突起側面１５９４および１５９６によって構成される。例えば、ある実施態様では、突起側面１５９４は、ラッチ結合要素１５１８の長さ方向の接線に対して、実質的に垂直か、ほぼ垂直であり、その一方で、突起側面１５９６は、この長さ方向に対して鋭い角度、例えば４５度をとることができる。そのような構成を取ることによって、ある方向に、ラッチ結合要素１５１８を筐体１５３０にベルト・通路１５３６に沿って容易により深く挿入することができ、以下に述べるように他の反対方向には容易ではなくなる。
【００５１】
しかしながら、ラッチ結合素子１５１８は他の構成をとることもでき、例えば、一つまたは複数のリブや、ノッチ、ギザギザ、点、曲線、切り欠きがあって、磁気的可動ラッチ１５１２とロック位置で噛み合うようにすることもできる。例えば、ある実施態様では、ラッチ結合要素１５１８は、磁気的可動ラッチ１５１２の一つまたは複数の突起部１５５１と同じ形状か、あるいは、ある程度似ている一つまたは複数の切り欠き１５９０から構成しうる。その結果、少なくとも一つの切り欠き１５９０は、少なくとも一つの突起部１５５１またはその一部分を受け、以下の述べるように、ラッチ結合要素１５１８がベルト通路１５３６に沿って動き、ベルト通路壁１５４０の端１５４０Ｂ、ひいてはベルト通路１５３６からはずれるのを防止し、抑制する。
【００５２】
ある実施態様では、ラッチ結合要素１５１８は変形可能であって、例えば、プラスティックやゴムから作られる。このような変形可能という特性によって、以下に述べるように、ラッチ結合要素１５１８が磁気的可動ラッチ１５１２に逆らって移動することができるようになる。
【００５３】
その他の実施態様では、ラッチ結合要素１５１８は弾性変形して陥没することができる素材、例えば、ゴムや柔らかいプラスティックから作られ、磁気的可動ラッチ１５１２は鋭い歯のような突起部１５５１を含む。磁気的可動ラッチ１５１２がロック位置にあるときは、これらの突起部はラッチ結合要素１５１８内に沈み込んで、その結果、ラッチ結合要素１５１８が、ベルト通路１５３６の端１５４０Ｂからはずれようとする力に対して抵抗できるようになるのである。
【００５４】
図１０及び図１１はベルト・アセンブリ１５５０の斜視図を示しており、筐体１５３０は１個以上のロック機構収納フレーム１５３１、セキュリティ・タグ室１５３２、ロック機構カバー１５３４、ベルト通路１５３６を有し、これらは、それぞれ順に、ロック機構１５１０の一部を収納し、セキュリティ・タグ１５２０を収納し、ロック機構収納フレーム１５３１を被覆し、セキュリティ・ベルト１５６０を収納する。
【００５５】
ロック機構収納フレーム１５３１は、ロック機構１５１０の磁気的可動ラッチ１５１２と弾性要素１５１６をそれぞれ受け入れることができるよう形成される。ある実施態様では、ロック機構収納フレーム１５３１は、ベルト・アセンブリ１５５０に固定され、そこから延びている。ロック機構収納フレーム１５３１はベルト通路１５３６または筐体１５３０の他の一部分と一体化され、さもなければ、例えば、溶接、融合、のり付け、スナップ式結合、締まりばめ等の方法によってそれらに固定される。
【００５６】
ベルト・アセンブリ１５５０のロック機構収納フレーム１５３１は、ロック機構１５１０の磁気的可動ラッチ１５１２と弾性要素１５１６がその中で隣接して配置されるように、作られる。その結果、磁気的可動ラッチ１５１２の基盤部端１５１３Ａは、弾性要素１５１６の付近に、もしくは、これに接して配置される。このように構成すれば、磁気的可動ラッチ１５１２と弾性要素１５１６の動作は一つまたは複数の方向に制限される。
【００５７】
例えば、ロック機構収納フレーム１５３１は通路１５６４を含み、通路１５６４は通路端壁１５６５および通路壁１５６６、１５６８によって限定される。通路壁１５６６、１５６８は、相互に実質的に平行な部分を含み、それぞれ、基盤部側面１５１３Ｂと１５１３Ｃ、および、中央およびラッチ部１５１５と１５１４の側面において、磁気的可動ラッチ１５１２に近接し、あるいは、接触して配置され、その結果として、磁気的可動ラッチ１５１２の動作を通路１５６４に沿った、実質的には直線的な動作に制限している。
【００５８】
様々な他の実施態様では、磁気的可動ラッチ９１２は、回転方向に、あるいは、回転方向と直線方向を組み合わせた方向、その他任意の方向に移動する。これらの実施態様では、一つまたは複数の通路９６４、弾性要素９１６、ラッチ結合要素９１８は、磁気的可動ラッチ９１２をその通路の方向に導くような形に成形され、構成される。
【００５９】
弾性要素１５１６が通路端壁１５６５に接して配置されることによって、磁気的可動ラッチ１５１２には弾性要素１５１６に向かってロック位置から遠ざける方向に力が働くときは、弾性要素１５１６は磁気的可動ラッチ１５１２の力と通路端壁１５６５の耐力によって圧縮される。弾性要素１５１６には、磁気的可動ラッチ１５１２の動作に対抗して、そのような圧縮に対する耐力が生じる。
【００６０】
上に述べたように、様々な実施態様においては、磁気的可動ラッチ１５１２は他の形をとることもでき、そのような場合には、通路１５６４、従って通路壁１５６６、１５６８は、そのような磁気的可動ラッチ１５１２を収容できるように構成され、可能な限り、磁気的可動ラッチ１５１２の動作を一つまたは複数の方向に制限することになる。これらの実施態様では、弾性要素１５１６は通路１５６４の内側の大きさに適合するように構成される。
【００６１】
その結果、磁気的可動ラッチ１５１２の歯１５５２−１５５６、または、一つまたは複数の突起部１５５１が、ベルト・アセンブリ１５５０のベルト通路１５３６内に配置されたラッチ結合要素１５１８の部分である突起１５９２に噛み合っている場合、ロック機構１５１０の弾性要素１５１６は磁気的可動ラッチ１５１２をロック位置に押し付ける。このような構成にすることによって、ラッチ結合要素１５１８がベルト通路１５３６から、従ってセキュリティ装置１５０２からはずれるような動作を防ぎ、抵抗することになる。
【００６２】
例えば、ある実施態様では、磁気的可動ラッチ１５１２の歯１５５２が二つの突起１５９２の間のロック位置に置かれている場合、接触している突起側面１５９４は、歯の側面１５５２Ｂに対して、実質的には平行か、あるいは、比較的少ない角度をとる。しかし、突起側面１５９４と歯の側面１５５２Ｂは、ラッチ結合要素１５１８がベルト通路１５３６内をベルト通路壁１５４０に制限されて動く方向に対して、実質的には垂直か、垂直に近い角度をとる。その結果、ラッチ結合要素１５１８にベルト通路１５３６から引き抜く方向に力が加えられた場合、突起壁１５９４と歯の側面１５５２Ｂが接触し双方に実質的に等しい垂直抗力が生じるまでラッチ結合要素１５１８は移動する。この場合、ラッチ結合要素１５１８は、ベルト通路１５３６から引き抜かれるのが防止され、阻止される。
【００６３】
しかしながら、ある実施態様においては、このような構成は、ラッチ結合要素１５１８がベルト・アセンブリ１５５０のベルト通路１５３６にそって挿入されることに対して、それを防止しないし、より少ない耐力しか発生しない。その結果、歯の壁１５５２Ａとそれに接触する突起側面１５９６は、ベルト通路１５３６に沿うラッチ結合要素１５１８の動く方向に対して、角度がつけられる。ラッチ結合要素１５１８に対してベルト通路１５３６に沿って挿入される方向に力が加えられれば、ラッチ結合要素１５１８は、突起側面１５９６と歯の壁１５２２Ａが接触するまで移動する。そのような場合、突起側面１５９６は、歯の側面１５５２Ａ、従って歯１５５２と磁気的可動ラッチ１５１２をロック位置から離す方向に押しつけ、ラッチ結合要素１５１８をベルト通路に沿って移動することを容易にする。
【００６４】
加えて、突起側面１５９６と歯の側面１５５２Ａが接触すれば、突起側面１５９４と歯の側面１５５２Ｂの場合に比べて、より少ない反対の垂直抗力が生じ、もし、ラッチ結合要素１５１８の外側の素材がここで記述されるように変形可能なものであった場合、ラッチ結合要素１５１８はより簡単に移動することができる。移動は、垂直抗力に上に述べた力を加えた力を越える力によって引き起こされる。
【００６５】
セキュリティ・ベルト１５６０のラッチ結合要素１５１８をベルト通路１５３６にそって挿入するときの力は、ラッチ結合要素１５１８をベルト通路１５３６から引き抜こうとする力より少なく、また、かなり少なくてもよい。このようにすれば、例えば、ある実施態様では、簡単により少ない力で、ラッチ結合要素１５１８をかたく締めて、その結果として、ベルト・アセンブリ１５５０のベルト通路壁１５４０をボトルの首の回りに締め付けることができる。磁気的可動ラッチ１５１２が複数の突起部１５５１を持っていたり、ラッチ結合要素１５１８が複数の突起１５９２または他の一つまたは複数の突起を持っているような実施態様では、接触している突起部１５５１と突起１５９２によって作り出される反対の力に打ち勝つ必要がある。この力は、人が簡単にラッチ結合要素１５１８をベルト通路１５３６に沿って挿入方向にさらに移動させることでできる程度のものである。
【００６６】
図１３はベルト・アセンブリ１５５０の一部分の斜視図であって、セキュリティ・タグ１５２０を示している。図１０−１２とともに図１３を参照すると、筐体のセキュリティ・タグ室１５３２は、図示のセキュリティ・タグ１５２０のようなセキュリティ・タグを収納できるような形をしている。ある実施態様では、セキュリティ・タグ１５２０は薄く細長い形をしており、セキュリティ・タグ室１５３２の周囲の壁は、セキュリティ・タグ１５２０をぴったりと収納できるような形の空洞を形成している。しかしながら、他の多くの実施態様では、セキュリティ・タグ室１５３２は、図示のセキュリティ・タグ１５２０、または、他の形のセキュリティ・タグを、収納しあるいは固定する様々な構成を有する。
【００６７】
セキュリティ・タグ室１５３２は、ロック機構収納フレーム１５３１に関連して上述したような方法で、ベルト通路壁１５４０に固定されているか、さもなければ、筐体１５３０の他の部分に固定される。ある実施態様では、セキュリティ・タグ室１５３２は、ベルト通路壁１５４０にスライドできるように取り付けられている。固定されれば、セキュリティ・タグ室１５３２はセキュリティ・タグ１５２０を筐体１５３０から、ひいては、ボトル・セキュリティ装置１５０２が固定されているボトルから取り外すことを防止し、あるいは、難しくする。
【００６８】
図１０−１１に示されるような、ロック機構カバー１５３４は、ロック機構収納フレーム１５３１上にあって、弾性要素１５１６と、磁気的可動ラッチ１５１２の少なくとも一部分、例えば露出された部分、を覆うように構成された構造体からなる。ロック機構カバー１５３４は、ロック機構収納フレーム１５３１に関連してすでに述べたあらゆる方法や、ここで述べる別の方法で、ベルト・アセンブリ１５５０に固定される。固定されると、ロック機構カバー１５３４は、磁気的可動ラッチ１５１２を筐体１５３０から取り外すことを防止し、あるいは、困難にする。
【００６９】
ある実施態様では、ロック機構収納フレーム１５３１とロック機構カバー１５３４は固定されているので、ロック機構室と呼ばれる。ロック機構室は、ロック機構１５１０の磁気的可動ラッチ１５１２と弾性要素１５１６の少なくとも一部分を内包し、従って、これらをボトル・セキュリティ装置１５０２に固定している。
【００７０】
図１０―１４によれば、ベルト通路１５３６はベルト通路壁１５４０と、ベルト通路壁１５４０によって限定されるベルト通路１５３６によって構成される。ベルト通路壁１５４０は、ベルト通路壁１５４０がボトルの首またはその他の商品を締め付け、従って、ボトルを筐体１５３０と、結果として、ボトル・セキュリティ装置１５０２に固定できるような、形状と素材からなっている。ある実施態様では、ベルト通路壁１５４０はセキュリティ・ベルト１５６０の一部分を含んでもよい。
【００７１】
ある実施態様では、ボトル・セキュリティ装置１５０２によって保護されているボトルに接触するベルト通路壁１５４０の部分は、ボトル固定面１５４２である。ある実施態様では、ボトル固定面１５４２は、ボトル・ベルト通路１５６８に適合し、ボトル・ネックの円形もしくはその他の曲がった形状のまわりにボトル・ハット１５７０を締めることができるような、環状、もしくは、その他の曲がった形状の、少なくとも一部分を有している。ある実施態様では、ボトル固定面１５４２は直接ボトル・ネックを締め付け、ボトル・ハット１５７０を使わない。
【００７２】
ある実施態様では、ベルト通路壁１５４０は、柔軟な、もしくは、引き延ばすことができる、変形可能な、その他締め付けることができるような、プラスティックまたはその他の素材で構成される。
【００７３】
ある実施態様では、ベルト通路壁１５４０は、そのような締め付けができ、少なくともある程度弾性のある素材で作られる。このように構成することによって、ベルト通路壁１５４０は締め付けられていない時の形状、あるいは、よく似た形状に復帰し得るので、ボトル・セキュリティ装置を再使用することができる。
【００７４】
ベルト通路壁１５４０は、ここで記述するセキュリティ・ベルト１５６０を受ける形状にも形成される。ある実施態様では、ベルト通路壁１５４０は、環状、さもなければ、曲がっていて、実質的には均一の厚さであるベルト通路１５３６によって限定される。ある実施態様では、このベルト通路１５３６は、ベルト通路壁１５４０の外部と、実質的には同じ湾曲をしている。しかしながら、他の実施態様では、ベルト通路壁１５４０は、様々な厚み、配置をとりうる。ボトル固定面１５４２の形状を変えることなく、ベルト通路壁１５４０の一つまたは複数の表面の構成を変更することによって、このような様々な厚みと配置をとることができる。
【００７５】
ある実施態様では、ベルト通路壁１５４０は、ボトルの少なくとも一部分を取り囲み、その結果として、ボトルのまわりを締め付けるように構成されるボトル・ハット１５７０のまわりを締め付ける。このような構成をとることによって、ボトルをボトル・ハット１５７０とベルト通路壁１５４０、ひいては、ボトル・セキュリティ装置１５０２に固定することができる。ボトル固定面１５４２は、一つまたは複数の脚１５８１−１５８３の一つまたは複数のベルト受け通路（例えば、脚１５８１の１５８６）の中に部分的に配置できるような形をしている。ある実施態様では、ボトル固定面１５４２は、脚１５８１−１５８３の一つまたは複数の溝（例えば、脚１５８１の１５９０）の中に延びるうね１５４４を持っており、ボトル・ハット１５７０のまわりに配置したときに、ボトル固定面１５４２の位置決めをする。
【００７６】
ベルト通路壁１５４０には二つの端部１５４０Ａと１５４０Ｂがある。ある実施態様では、取っ手１５４６、１５４７が二つの端部１５４０Ａと１５４０Ｂから延びていて、ベルトを締めることを容易にする。
【００７７】
セキュリティ・ベルト１５６０は、ベルト通路にそって差し込むことができるような形状をしている。ある実施態様では、セキュリティ・ベルト１５６０は本来の状態で湾曲した細長い要素である。ある実施態様では、セキュリティ・ベルト１５６０は、ベルト通路１５３６の同じ形か、もしくは、類似した形で湾曲しており、ベルト通路１５６０に沿って動きやすくなっている。
【００７８】
様々な実施態様では、セキュリティ・ベルト１５６０は、一つまたは複数の素材をどのような組み合わせで構成してもよい。例えば、ある実施態様では、セキュリティ・ベルト１５６０はプラスティックの外層と金属の内層から構成される。金属とプラスティックの部品は分離可能であってもよいし、分離ができなくてもいい。例えば、メタルとプラスティックの部品は、接着され、もしくは、圧入され、供押出成形し、はめ込まれ、塗装されてもよい。金属部分はセキュリティ・ベルト１５６０を強化し、セキュリティ・ベルト１５６０の一部分が破壊され、または分離することを防止し、その結果として、ボトル・セキュリティ装置１５０２を、それが固定されているボトルから解放されることを防止する。金属は、数珠状でも、より糸状でも、フラット・ワイアー状でも、部分的に円筒形でもよく、その他、セキュリティ・ベルト１５６０を強化し、同時に柔軟性を与えるような形状にすることができる。
【００７９】
セキュリティ・ベルト１５６０は、ベルト・アセンブリ１５５０と一体化し、あるいは、その他の態様で取り付けられている。例えば、ある実施態様では、ベルト通路１５３６内でセキュリティ・ベルト１５６０の一端がベルト通路壁１５４０と一体化し、あるいは取り付けられることによって、セキュリティ・ベルト１５６０は、ベルト・アセンブリ１５５０と一体化し、あるいは、取り付けられている。この実施態様では、セキュリティ・ベルト１５６０は、取り付けられた端部から、ベルト通路１５３６の端部１５４０Ａを通って外に出て、端部１５４０Ａでベルト通路１５３６の中に戻る。このように、セキュリティ・ベルト１５６０は二つの端部１５４０Ａと１５４０Ｂをもち、ベルト通路壁１５４０とセキュリティ・ベルト１５６０は連続して、例えばネックのような、ボトルの一部分を取り囲むことになる。しかしながら、実施態様によっては、二つの端部１５４０Ａと１５４０Ｂはベルト・アセンブリ１５５０の外周部のいかなる点に設けることもできる。例えば、端部１５４０Ａはロック機構収納フレーム１５３１の側面を含み、若しくは、これに接することもできるし、１５４０Ａは反対側、あるいはその付近に配置することもできる。
【００８０】
ある実施態様では、取っ手１５４６と１５４７は当接して、相互に押し合うにように偏力が加えられることによって、取り付けられたセキュリティ・ベルト１５６０がベルト通路１５３６に沿って内方向に移動させ、ボトル・ネックまたはその他の部位のまわりのベルト通路壁１５４０を締め付ける。以下に述べるように、この方向に移動するとき、セキュリティ・ベルト１５６０を含むラッチ結合要素１５１８の各部分で磁気的可動ラッチ１５１２に接触しても、それを越えるには大きな抵抗はない。しかしながら、反対方向への動きは防止され、あるいは、より大きな抵抗に遭い、取っ手１５４６と取っ手１５４７が解放された後も、ベルト通路壁１５４０は締め付けられた位置にとどまる。このようにして、セキュリティ・ベルト１５６０とベルト通路壁１５４０は共同してボトルの口と首の一部分をボトル・セキュリティ装置１５０２に固定する。ある実施態様では、ボトル・セキュリティ装置１５０２をボトルから取り外す力は、例えば、ボトルがガラス製である場合などでは、ボトルを壊す力より大きいので、設置されたボトル・セキュリティ装置１５０２を強制的に取り外すと、ボトルを壊すことになる。
【００８１】
図１５−１９は、ある実施態様における、ボトル・セキュリティ装置１６０２の斜視図、平面図、側面図、分解図である。セキュリティ装置１６０２は筐体１６３０と同様な構成をしているが、すでに述べたベルト・アセンブリ１５５０のセキュリティ・タグ室１５３２に対応する位置に、ベルト・アセンブリ１６５０のセキュリティ・タグ室１６３２が横向きに配置されている。ベルト・アセンブリ１６５０は、筐体底部１６５０Ａと筐体上部１６５０Ｂから構成され、これらは、溶接され、融合し、圧入され、又は、一体として固定され、それが開放されることを防止する。
【００８２】
図２０−３１は、ある実施態様における、ボトル・セキュリティ装置１７０２またはその一部分の斜視図であり、図３２はその平面図、正面図、側面図を示している。セキュリティ装置１７０２は、上に述べた、ボトル・ハット１５７０およびベルト・アセンブリ１５５０もしくは１６５０と同様の要素をもっている。しかしながら、例えば、ボトル・セキュリティ装置１７０２は、溶接、融合、のり付け、圧入、締まりばめ、もしくは、その他の固定方法で固定された、インテグラル・ベルト・アセンブリ１７５０とボトル・ハット１７７０からなる筐体１７３０を有する。
【００８３】
加えて、ベルト・アセンブリ１７５０とセキュリティ・ベルト１７６０は、他の構成をとりうる。ある実施態様では、セキュリティ・ベルト１７６０は、すでに述べたベルトに接触する面１５４２を持つベルト通路壁１５４０のようなベルト通路壁に代えて、ベルト・アセンブリ１７５０の内壁１７４０Ａを含む。ある実施態様では、セキュリティ・ベルト１７６０はコイルの形状をしていて、一つまたは複数の箇所でベルト・アセンブリ１７５０に一体化され、あるいは固定される。例えば、ある実施態様では、セキュリティ・ベルト１７６０の端部１７６０Ａと１７６０Ｂ、あるいはその近くの部分は、ベルト・アセンブリ１７５０の基盤１７４７と輪（図に示していない）に、それぞれ、一体化され、又は固定される。輪はセキュリティ・ベルト１７６０と外壁１７４０Ｂの間に配置されてよい。末端部１７６０Ａと１７６０Ｂは、ボトルの口及び首、または外形の類似する要素の少なくとも一部分のまわりに締め付けられていれば、重なり合い巻線状の形を作る。巻線状を形成することによって、コイルの内側の空間の直径が小さくなり、あるいは断面部の空間が少なくなり、それによってセキュリティ・ベルト１７６０が締め付けられるのである。
【００８４】
図３３は、ある実施態様における、ボトル・セキュリティ装置１７０２の分解図である。ここに示すとおり、輪１７４５は突起１５９２から構成されるラッチ結合要素１５１８を有し、突起１５９２がラッチ結合要素１２の突起部１５５１と噛み合うことによって、ボトル・セキュリティ装置１７０２をロックする。
【００８５】
様々な実施態様では、ケーブル式セキュリティ装置は、図２−３３に関連してここで述べられたボトル・セキュリティ装置１５０２、１６０２、１７０２のうちの一つ、及び、図１に関連してここで述べられた分離器４０を含む。例えば、ケーブル式セキュリティ装置１５０２の実施態様では、弾性要素１５１６が分離器４０と磁気的可動ラッチ１５１２の間に配置されて、分離器４０がケーブル式セキュリティ装置の磁気的可動ラッチ１５１２のそばに置かれた場合、分離器４０は磁気的可動ラッチ１５１２をロック位置からはずす方向、すなわち、弾性要素１５１６を加圧する方向に磁力を及ぼす。もし、この磁力が、弾性要素１５１６の抗力その他磁気的可動ラッチ１５１２の動きに逆らう力より大きければ、磁気的可動ラッチ１５１２はロック位置からはずれる。このような場合、ここで述べたように、セキュリティ・ベルト１５６０は、何ら妨害されることなく、ベルト通路１５３６から完全にはずれ得る。その一方で、ベルト通路壁１５４０は締め付けられていない場合の形状、すなわちその末端部１５４０Ａと１５４０Ｂが分離するような形に戻ろうとする傾向があり、そのことによって、セキュリティ・ベルトはベルト通路１５３６からはずれる。このことによって、ボトルは、ボトル・セキュリティ装置１５０２から解錠され、ボトルをそれから自由にはずすことができるようになる。
【００８６】
様々な実施態様では、セキュリティ装置１５０２と１６０２は解錠しても破壊される部分がないので、セキュリティ装置を再使用することができる。その他の実施態様では、セキュリティ装置１５０２と１６０２のうち片方もしくは双方が、使い捨てもしくは再設定可能な磁気的可動ラッチ１５１２を用いる。
【００８７】
ある実施態様では、ＥＡＳボトル締め具セキュリティ装置の付属物であるボトル・カバーセキュリティ装置は、典型的なワインまたはリカー・ボトルを許可なく開封することを防止するために使われるＥＡＳ装置をもつようなセキュリティ装置を備えている。ボトル・カバーセキュリティ装置は、万引きが酒のボトルを開封して、内容物をタグの付いていない容器に移し替え、店を出ることを防ぐことができる。
【００８８】
ボトル盗難予防の例が、米国特許第5,602,530号で公開されている。この特許で公開される装置は、二つの端部の間にある内部ソケットに関して移動することができる外部ソケットを有している。複数の固定器具が外部ソケットの内側の表面に分散して配置されている。外部ソケットがロックされた位置にあるときは、固定器具は内部ソケット内に進入する。この固定器具は、典型的にはボトルの首に配置されているビードの下側で、ボトルに係合する。このようにして、磁気キーによって外向きに力を加えない限り、固定器具は装置をボトルから取り去ることを防止する。この製品は高価に過ぎ、首には長すぎる場合がある。
【００８９】
ある実施態様では、ボトル・カバーセキュリティ装置は、ＥＡＳタグ装備ロック・ストラップおよび磁気機構を含んでいる。ある実施態様では、ボトル・カバーセキュリティ装置は、通常の大きさのビール、ワイン、酒類のボトルのためのＥＡＳタグ装備ロック・ストラップおよび磁気機構を取り付けることができる。ある実施態様では、ボトル・カバーセキュリティ装置は、一体成形プラスティックの部材から作られるので、比較的安価に大量生産することができる。
【００９０】
他の実施態様では、ボトル・カバーセキュリティ装置は、様々な形と大きさのボトルに固定できるようになっている。ある実施態様では、ボトル・カバーセキュリティ装置は、安価かつ簡単に作成、使用ができ、小売業の作業員によって簡単にかつ繰り返し使用することができる。ある実施態様では、ボトル・カバーセキュリティ装置は頑丈なプラスティックを用いて成型して、破壊、引き裂き、その他使用不能にすることをきわめて困難にすることができる。ある実施態様では、ボトル・カバーセキュリティ装置は、一般的にボトルのネックにあるビードやその他の構造と共同して、それ自身をボトルのネックにロックする。ある実施態様では、ボトル・カバーセキュリティ装置は、ＥＡＳタグ装備ストラップともに、磁気機構を用いてボトルのネックにロックされ、ボトルのセキュリティ装置をとりはずし、あるいは、ボトルを破壊することなく、ボトルの内容物を取り出すことを防止する。ある実施態様では、ボトル・セキュリティ装置はロック部材を持っていて、簡単には万引きによって盗まれないようにできる。ある実施態様では、ボトル・セキュリティ装置は、万引きがこの装置を簡単にはボトルのネックから取り外すことができないようにする輪を有している。ある実施態様では、ボトル・セキュリティ装置は単純な構造をしていて、単純で、効率的、安価に取り扱うことができる。
【００９１】
ある実施態様では、ボトル・セキュリティ装置は、ＥＡＳタグ装備ロック・ストラップが取り付けられ、磁気機構によってボトルの上部の首に固定されるボトル・カバーセキュリティ装置、および、三本の脚を持つカバー、三本の脚を取り囲みEASタグ装備ロック・ストラップが取り付けられる通路、磁気機構を含む。ある実施態様では、カバーの部材はボトルのネックのまわりに合うように作られ、カバーのまわりを取り巻いてボトルのネックをロックする、ＥＡＳタグ装備ロック・ストラップと磁気機構を有している。
【００９２】
様々な実施態様における、ボトル・カバーに関連して上に述べられた実施態様は、ボトル・ベルト・セキュリティ装置とボトル・ハット・セキュリティ装置の各実施態様に対応する。
【００９３】
ある実施態様における、関連するボトル・カバーセキュリティ装置は添付の図面に示されている。ある実施態様では、ボトル・カバーセキュリティ装置には、三本の脚があって、脚のまわりには磁気機構を有するＥＡＳタグ装備ロック・ストラップを保持する通路があり、これらが共同してボトルのネックでロックされる。ある実施態様では、ボトル・カバーセキュリティ装置は、利用者がそれと磁気機構を解錠するまでは、ボトル・ネック上でロックされたままである。ある実施態様では、ボトル・カバーセキュリティ装置は添付の図面に示されており、三本の脚の部材がり、三本の脚のまわりにはＥＡＳタグ（ボトル締め具タグ）を保持する通路があって、共同してボトルのネックでロックする。ある実施態では、ボトル・カバーセキュリティ装置は、利用者が分離用磁石を用いてそれと磁気機構を解錠するまでは、ボトル・ネック上でロックされたままである。
【００９４】
ある実施態様では、ボトル・ベルト・セキュリティ装置はＥＡＳタグ装備ロック・ストラップを付属物（ボトル・カバーセキュリティ装置）とともに磁気機構によって取り付けることができ、当該付属物であるボトル・カバー・セキュリティ装置はＥＡＳタグ装備ロック・ストラップを取り付けるためのボトル上部のネック、三本の脚を有するカバー、および三本の脚のまわりの通路を、磁気機構を用いて固定する。
【００９５】
ある実施態様では、ボトルのネックの外周の形状に合わせたベルト部材を含んでおり、磁気機構で作動するＥＡＳタグ装備ロック・ストラップがベルト部材を取り囲み、ボトルのネックをロックする。
【００９６】
ある実施態様では、ボトル・ベルト・セキュリティ装置はＥＡＳタグを含んでいて、磁気機構を用いてロック・ストラップをそれに取り付け、共同して典型的なボトルのネックをロックする。ある実施態様では、ボトル・ベルト・セキュリティ装置は、使用者が分離用の磁石を用いて装置を解錠するまでは、ボトル・ネック上にロックされたままである。
【００９７】
ある実施態様は、ボトル・ハット・セキュリティ装置は、磁気機構とともにＥＡＳタグを装備することができ、ボトルの上部のネックをロックすることができる。ある実施態様では、ボトル・ハット・セキュリティ装置には、ＥＡＳラベル、および、内部部材（ベルト）、外部部材(取っ手)を保持する上部及び底部筐体があって、これらは共同して発泡体を伴うラッチ機構を用いてボトル・セキュリティ装置をボトルのネックにロックする。内部部材(ベルト)はさらに歯を含んでいて、発泡物質によって支えられている歯のあるラッチの機構の中を通るチャンネル上、および上部及び下部筐体の間の通路の内側を回転する。
【００９８】
ある実施態様では、ボトル・ハット・セキュリティ装置は磁気機構を用いて、ＥＡＳタグを保持することができ、ボトルの上部のネックを固定することができる。ある実施態様において、ボトル・ハット・セキュリティ装置は、ＥＡＳラベル、内部部材(ベルト)、外部部材(取っ手)を保持する、上部及び下部筐体を含み、これらは共同して発泡物質をもつラッチの機構を通してボトルのネックに、ボトル・ハット・セキュリティ装置をロックする。内部部材(ベルト)はさらに歯を含んでいて、発泡物質によって支えられている歯のあるラッチの機構の中を通るチャンネル上、および上部及び下部筐体の間の通路の内側を回転する。
【００９９】
以上、実施態様の特定の特徴を記述したが、技術に熟練した者は改良、代用、変更、同等物を容易に想到することであろう。それゆえ、付記する特許請求の範囲は、これらの全ての改良、変更を実施態様の範囲内に含むものであると理解すべきである。
【図面の簡単な説明】
【０１００】
実施態様としてみなされる発明主題は、明細書の結論部に、個別に指摘し、明確に請求の範囲として主張する。しかしながら、構造および操作方法は、添付の図面を参照しながら以下に示す詳細な記述を読むことによって、最もよく理解できる。
【図１】図１はある実施態様におけるセキュリティ装置およびシステムの構成部品、
【図１Ａ】図１Ａは、ある実施態様における分離器の斜視図、
【図１Ｂ】図１Ｂは、ある実施態様における分離器の平面図、
【図１Ｃ】図１Ｃは、ある実施態様における分離器の正面図、
【図１Ｄ】図１Ｄは、ある実施態様における分離器の側面図、
【図１Ｅ】図１Ｅは、一回限り使用のために構成されたセキュリティ装置の一部分の斜視図、
【図１Ｆ】図１Ｆは、一回限り使用のために構成されたセキュリティ装置の一部分の平面図、
【図１Ｇ】図１Ｇは、再設定できるように構成されたセキュリティ装置の一部分の斜視図、
【図１Ｈ】図１Ｈは、一回限り使用のために構成されたセキュリティ装置の一部分の斜視図、
【図１Ｉ】図１Ｉは、一回限り使用のために構成されたセキュリティ装置の一部分の平面図、
【図１Ｊ】図１Ｊは、一回限り使用のために構成されたセキュリティ装置の一部分の正面図、
【図２】図２は、ある実施態様におけるボトル・カバーの斜視図、
【図３】図３は、ある実施態様におけるボトル・カバーの斜視図、
【図４】図４は、ある実施態様におけるボトル・カバーの斜視図、
【図５】図５は、ある実施態様におけるボトル・カバーの斜視図、
【図６】図６は、ある実施態様におけるボトル・カバーの平面図、
【図７】図７は、ある実施態様におけるボトル・カバーの正面図、
【図８】図８は、ある実施態様におけるボトル・カバーの側面図、
【図９】図９は、ある実施態様におけるボトル・カバーの底面図、
【図１０】図１０は、ある実施態様におけるベルト・アセンブリの斜視図、
【図１１】図１１は、ある実施態様におけるベルト・アセンブリの斜視図、
【図１２】図１２は、ある実施態様におけるベルト・アセンブリの一部分の斜視図、
【図１３】図１３は、ある実施態様におけるベルト・アセンブリの一部分の斜視図、
【図１４】図１４は、ある実施態様における磁気的可動ラッチと弾性要素を含むベルト・アセンブリ、の一部分を示し、
【図１５】図１５は、ある実施態様におけるベルト・アセンブリの斜視図、
【図１６】図１６は、ある実施態様におけるベルト・アセンブリの平面図、
【図１７】図１７は、ある実施態様におけるベルト・アセンブリの正面図、
【図１８】図１８は、ある実施態様におけるベルト・アセンブリの側面図、
【図１９】図１９は、ある実施態様におけるベルト・アセンブリの分解図、
【図２０】図２０は、ある実施態様におけるボトル・セキュリティ装置の斜視図、
【図２１】図２１は、ある実施態様におけるボトル・セキュリティ装置の斜視図、
【図２２】図２２は、ある実施態様におけるボトル・セキュリティ装置の底部の斜視図、
【図２３】図２３は、ある実施態様におけるボトル・セキュリティ装置の底部の斜視図、
【図２４】図２４は、ある実施態様におけるボトル・セキュリティ装置の底部の斜視図、
【図２５】図２５は、ある実施態様におけるボトル・セキュリティ装置の底部の斜視図、
【図２６】図２６は、ある実施態様におけるボトル・セキュリティ装置の斜視図、
【図２７】図２７は、ある実施態様におけるボトル・セキュリティ装置の斜視図、
【図２８】図２８は、ある実施態様におけるボトル・セキュリティ装置の斜視図、
【図２９】図２９は、ある実施態様におけるボトル・セキュリティ装置の斜視図、
【図３０】図３０は、ある実施態様におけるボトル・セキュリティ装置の斜視図、
【図３１】図３１は、ある実施態様におけるボトル・セキュリティ装置の斜視図、
【図３２】図３２は、ある実施態様におけるボトル・セキュリティ装置の平面図、側面図、側面図、
【図３３】図３３は、ある実施態様におけるボトル・セキュリティ装置の分解図である。
【図１】
2008523508.tif 000003
【図１Ａ】
2008523508.tif 000004
【図１Ｂ】
2008523508.tif 000005
【図１Ｃ】
2008523508.tif 000006
【図１Ｄ】
2008523508.tif 000007
【図１Ｅ】
2008523508.tif 000008
【図１Ｆ】
2008523508.tif 000009
【図１Ｇ】
2008523508.tif 000010
【図１Ｈ】
2008523508.tif 000011
【図１Ｉ】
2008523508.tif 000012
【図１Ｊ】
2008523508.tif 000013
【図２】
2008523508.tif 000014
【図３】
2008523508.tif 000015
【図４】
2008523508.tif 000016
【図５】
2008523508.tif 000017
【図６】
2008523508.tif 000018
【図７】
2008523508.tif 000019
【図８】
2008523508.tif 000020
【図９】
2008523508.tif 000021
【図１０】
2008523508.tif 000022
【図１１】
2008523508.tif 000023
【図１２】
2008523508.tif 000024
【図１３】
2008523508.tif 000025
【図１４】
2008523508.tif 000026
【図１５】
2008523508.tif 000027
【図１６】
2008523508.tif 000028
【図１７】
2008523508.tif 000029
【図１８】
2008523508.tif 000030
【図１９】
2008523508.tif 000031
【図２０】
2008523508.tif 000032
【図２１】
2008523508.tif 000033
【図２２】
2008523508.tif 000034
【図２３】
2008523508.tif 000035
【図２４】
2008523508.tif 000036
【図２５】
2008523508.tif 000037
【図２６】
2008523508.tif 000038
【図２７】
2008523508.tif 000039
【図２８】
2008523508.tif 000040
【図２９】
2008523508.tif 000041
【図３０】
2008523508.tif 000042
【図３１】
2008523508.tif 000043
【図３２】
2008523508.tif 000044
【図３３】
2008523508.tif 000045
【国際調査報告】
2008523508.tif 000046
2008523508.tif 000047
2008523508.tif 000048